(57)【要約】【課題】１つの光源によってレンズの横長形状の発光面の全体を発光させることが可能なディスクプレーヤおよび電子機器を提供する。【解決手段】平板状のアクリルレンズ７０と、青色発光ダイオード８１とを備えたディスクプレーヤ１において、アクリルレンズ７０は、１つの青色発光ダイオード８１からの光が入射する底面部７１と、入射した光を出射する横長形状の前面部７３と、前面部７３および底面部７１に対して所定の鋭角度で傾斜し、底面部７１からの光を前面部７３の方向に反射する互いに対向する一対の側面部７４と、一対の側面部７４の端部を連結するように設けられ、底面部７１に対して実質的に直交する背面部７５とを含む。また、側面部７４は、背面部７５に向かうに従って、底面部７１に対する傾斜角度が徐々に直角に近づくように形成されている。【選択図】図１０
2005158181.tif 000002
【特許請求の範囲】
【請求項１】
機器の前面を覆うとともに、所定の位置に横長のパネル側貫通孔を含む樹脂製のフロントパネルと、前記フロントパネルの内面側に設けられ、前記フロントパネルの横長のパネル側貫通孔に嵌め込まれるとともに、所定の位置に横長のレンズ用貫通孔を有する樹脂製のレンズホルダと、前記レンズホルダの横長のレンズ用貫通孔に嵌め込まれるとともに、前記レンズホルダに固定されるアクリル製の平板状のレンズと、前記機器の内部に設けられた基板に取り付けられた発光ダイオードとを備えたディスクプレーヤにおいて、
前記アクリル製の平板状のレンズは、平面的に見て実質的に台形状を有しており、かつ、
前記発光ダイオードからの光が入射する底面部と、
表面に光を反射させるための白色の印刷を施した上面部と、
前記レンズホルダの横長のレンズ用貫通孔から前面に露出するように配置されるとともに、前方に向けて前記光を出射する横長形状の直線状の前面部と、
前記前面部に対して平面的に所定の鋭角度で傾斜するとともに、前記底面部に対して所定の鋭角度で傾斜し、かつ、表面に微細な凹凸が形成され、前記底面部からの前記光を前記前面部の方向に反射する互いに対向する一対の側面部と、
前記一対の側面部の端部を連結するように設けられ、前記底面部に対して実質的に直交するとともに、表面に微細な凹凸が形成された背面部とを含み、
前記一対の側面部は、前記背面部に向かうに従って、前記底面部に対する傾斜角度が徐々に直角に近づくように形成され、
前記発光ダイオードは、前記レンズの底面部の下方の所定の位置に上向きに１つ配置されるように構成されている、ディスクプレーヤ。
【請求項２】
光源と、
前記光源からの光が入射する底面部と、前記光を出射する横長形状の前面部と、前記前面部に対して平面的に所定の鋭角度で傾斜するとともに、前記底面部に対して所定の鋭角度で傾斜し、かつ、前記底面部からの前記光を前記前面部の方向に反射する互いに対向する一対の側面部とを含む平板状のレンズとを備えた、電子機器。
【請求項３】
前記平板状のレンズは、表面に光を反射させるための印刷を施した上面部をさらに含む、請求項２に記載の電子機器。
【請求項４】
前記平板状のレンズは、前記一対の側面部の端部を連結するように設けられ、前記底面部に対して実質的に直交する背面部をさらに含み、
前記一対の側面部は、前記背面部に向かうに従って、前記底面部に対する傾斜角度が徐々に直角に近づくように形成されている、請求項２または３に記載の電子機器。
【請求項５】
前記一対の側面部および前記背面部の少なくとも一方は、表面に微細な凹凸が形成されている、請求項４に記載の電子機器。
【発明の詳細な説明】
【技術分野】
【０００１】
本発明は、ディスクプレーヤおよび電子機器に関し、特に、光源からの光を出射するレンズを備えたディスクプレーヤおよび電子機器に関する。
【背景技術】
【０００２】
従来、光源からの入射光を拡散させて出射するレンズ（導光板）およびそのレンズを備えた電子機器が知られている（たとえば、特許文献１および特許文献２参照）。
【０００３】
上記特許文献１には、１つのＬＥＤ（発光ダイオード）からの光を側面から導光して、平面的に見て矩形形状の発光面から出射するための導光板（レンズ）を備えた従来の面発光装置が開示されている。
【０００４】
また、上記特許文献２には、長方形状の線状発光体の一方の側面近傍に１つの光源（ＬＥＤ）を配置して、その光源からの光を線状の発光面から出射させる構造が開示されている。また、上記特許文献２には、円弧状の発光面を有する扇形状の導光板と、その導光板の円弧中心側の側面に円弧状の発光面に発光方向を向けて配置された１つの光源（ＬＥＤ）とからなる組を複数組み合わせて円環状の発光を得る構造も開示されている。
【０００５】
ところで、従来、２つの光源からの光により発光する横長のアクリルレンズを備えたディスクプレーヤ（電子機器）が知られている。
【０００６】
図１１は、従来のディスクプレーヤを部分的に示した図である。図１２は、図１１に示した従来のディスクプレーヤにおけるアクリルレンズを示した上面図である。図１３は、図１２に示したアクリルレンズの前面図である。図１１〜図１３を参照して、従来のディスクプレーヤ１００の構造について説明する。
【０００７】
従来のディスクプレーヤ１００は、図１１に示すように、ディスクプレーヤ１００の前面を覆うフロントパネル１１０と、フロントパネル１１０に設けられた操作ボタン１２０と、録画ボタン１３０と、平板状のアクリルレンズ１４０とを備えている。また、図１２および図１３に示すように、アクリルレンズ１４０の左右の両端部からほぼ同じ距離だけ離れた位置には、光源となる２つの発光ダイオード１５０が配置されている。アクリルレンズ１４０は、フロントパネル１１０の内面から前面に露出するようにディスクプレーヤ１００の内部に取り付けられている。このアクリルレンズ１４０は、録画ボタン１３０の操作によってディスクプレーヤ１００が録画状態にあることをユーザに知らせるために設けられている。また、平板状のアクリルレンズ１４０は、図１２および図１３に示すように、入射光を反射する一対の背面部１４１と、反射した光を出射することにより発光する横長形状の前面部１４２とを含んでいる。一対の背面部１４１は、互いに対向するように前面部１４２に対してＶ字状に形成されている。
【０００８】
次に、従来のディスクプレーヤ１００のアクリルレンズ１４０による光の反射の機構について説明する。２つの発光ダイオード１５０によって、アクリルレンズ１４０の左右の両端部から、光がアクリルレンズ１４０に入射される。入射された光は、図１２に示すように、一対の背面部１４１によって前面部１４２の方向に反射され、横長形状の前面部１４２から出射される。
【特許文献１】特開２００１−１１０２２４号公報
【特許文献２】特開２００３−１９７００３号公報
【発明の開示】
【発明が解決しようとする課題】
【０００９】
図１１〜図１３に示した横長のアクリルレンズ１４０の前面部１４２を発光させるには、従来、横長形状の前面部１４２の全体を均一に発光させるために、アクリルレンズ１４０の側方に２つの発光ダイオード１５０を配置する必要があり、その結果、部品点数が増加するという問題点があった。
【００１０】
また、上記特許文献１に開示された構造は、面状の発光を得るための構造であるので、特許文献１の構造では、横長形状の線状の発光を得るのは困難である。
【００１１】
また、上記特許文献２に開示された長方形状の線状発光体の一方の側面近傍に１つの光源を配置して、その光源からの光を線状の発光面から出射させる構造では、線状の発光面の長さが長い横長形状になると、光源からの光が光源とは反対側の端部に届かなくなる。その結果、特許文献２の構造では、１つの光源（ＬＥＤ）を用いて横長形状の発光面を均一に発光させるのは困難であるという問題点がある。また、上記特許文献２に開示された円弧状の発光面を有する構造においても、１つのＬＥＤが発光方向を円弧状の発光面に向けて配置されているため、ＬＥＤの指向性から一定以上の広がり角度の円弧状の発光面を発光させるのは困難であり、その結果、横方向に長い発光面を均一に発光させるのは困難であるという問題点がある。
【００１２】
この発明は、上記のような課題を解決するためになされたものであり、この発明の１つの目的は、１つの光源（発光ダイオード）によって横長形状の発光面の全体を発光させることが可能なディスクプレーヤおよび電子機器を提供することである。
【課題を解決するための手段およぼ発明の効果】
【００１３】
この発明の第１の局面によるディスクプレーヤは、機器の前面を覆うとともに、所定の位置に横長のパネル側貫通孔を含む樹脂製のフロントパネルと、フロントパネルの内面側に設けられ、フロントパネルの横長のパネル側貫通孔に嵌め込まれるとともに、所定の位置に横長のレンズ用貫通孔を有する樹脂製のレンズホルダと、レンズホルダの横長のレンズ用貫通孔に嵌め込まれるとともに、レンズホルダに固定されるアクリル製の平板状のレンズと、機器の内部に設けられた基板に取り付けられた発光ダイオードとを備えたディスクプレーヤにおいて、アクリル製の平板状のレンズは、平面的に見て実質的に台形状を有しており、かつ、発光ダイオードからの光が入射する底面部と、表面に光を反射させるための白色の印刷を施した上面部と、レンズホルダの横長のレンズ用貫通孔から前面に露出するように配置されるとともに、前方に向けて光を出射する横長形状の直線状の前面部と、前面部に対して平面的に所定の鋭角度で傾斜するとともに、底面部に対して所定の鋭角度で傾斜し、かつ、表面に微細な凹凸が形成され、底面部からの光を前面部の方向に反射する互いに対向する一対の側面部と、一対の側面部の端部を連結するように設けられ、底面部に対して実質的に直交するとともに、表面に微細な凹凸が形成された背面部とを含み、一対の側面部は、背面部に向かうに従って、底面部に対する傾斜角度が徐々に直角に近づくように形成され、発光ダイオードは、レンズの底面部の下方の所定の位置に上向きに１つ配置されるように構成されている。
【００１４】
この第１の局面によるディスクプレーヤでは、上記のように、互いに対向する一対の側面部を前面部に対して平面的に所定の鋭角度で傾斜するとともに、底面部に対して所定の鋭角度で傾斜するように形成し、レンズの底面部の下方の所定の位置に上向きに１つの発光ダイオードを配置することによって、底面部から入射した光を一対の側面部において前面部の方向に反射させることができるので、底面部から入射した光を前面部から効率良く出射させることができる。これによって、光を底面部から入射させれば、発光面である直線状の横長形状の前面部を効率良く発光させることができるので、１つの発光ダイオード
によって横長形状の前面部の全体を効率良く発光させることができる。また、平板状のレンズの上面部の表面に白色の印刷を施すことによって、上面部の表面に白色の印刷を施さない場合に比べて、底面部から入射した光を上面部において前面部の方向に効率良く反射させることができるので、底面部から入射した光を横長形状の前面部の全体からより効率良く出射させることができる。また、背面部を底面部に対して実質的に直交するように形成することによって、底面部から入射した光が背面部において前面部の方向に反射するのを抑制することができる。これによって、レンズ内で反射した光がレンズの横長形状の前面部の中央近傍に集まり過ぎて、発光ダイオードの形状が前面部の中央近傍に映るのを防ぐことができるので、レンズの前面部から出射する光が一部分に偏るのを防止することができる。また、レンズの一対の側面部および背面部の表面に微細な凹凸を形成することによって、底面部から入射した光を一対の側面部および背面部で反射する際に、拡散させることができるので、レンズの横長形状の前面部から出射する光を均一にすることができる。
【００１５】
この発明の第２の局面による電子機器は、光源と、光源からの光が入射する底面部と、光を出射する横長形状の前面部と、前面部に対して平面的に所定の鋭角度で傾斜するとともに、底面部に対して所定の鋭角度で傾斜し、かつ、底面部からの光を前面部の方向に反射する互いに対向する一対の側面部とを含む平板状のレンズとを備える。
【００１６】
この第２の局面による電子機器では、上記のように、互いに対向する一対の側面部を、前面部に対して平面的に所定の鋭角度で傾斜するとともに、底面部に対して所定の鋭角度で傾斜するように形成することによって、底面部から入射した光を一対の側面部において横長形状の前面部の方向に反射させることができるので、底面部から入射した光を発光面である横長形状の前面部から効率良く出射させることができる。これによって、光を底面部から入射させれば、横長形状の前面部を効率良く発光させることができるので、１つの光源によって横長形状の前面部の全体を効率良く発光させることができる。
【００１７】
上記第２の局面による電子機器において、好ましくは、平板状のレンズは、表面に光を反射させるための印刷を施した上面部をさらに含んでいる。このように構成すれば、上面部の表面に光を反射させるための印刷を施さない場合に比べて、底面部から入射した光を上面部において前面部の方向に効率良く反射させることができるので、底面部から入射した光を前面部の全体からより効率良く出射させることができる。
【００１８】
上記第２の局面による電子機器において、好ましくは、平板状のレンズは、一対の側面部の端部を連結するように設けられ、底面部に対して実質的に直交する背面部をさらに含み、一対の側面部は、背面部に向かうに従って、底面部に対する傾斜角度が徐々に直角に近づくように形成されている。このように構成すれば、底面部から入射した光が背面部において前面部の方向に反射するのを抑制することができる。これによって、レンズ内で反射した光がレンズの前面部の中央近傍に集まり過ぎて、光源の形状が前面部に映るのを防ぐことができるので、レンズの前面部から出射する光が一部分に偏るのを防止することができる。
【００１９】
この場合、好ましくは、一対の側面部および背面部の少なくとも一方は、表面に微細な凹凸が形成されている。このように構成すれば、底面部から入射した光を一対の側面部および背面部で反射する際に、拡散させることができるので、レンズの前面部から出射する光を均一にすることができる。
【発明を実施するための最良の形態】
【００２０】
以下、本発明の実施の形態を図面に基づいて説明する。
【００２１】
図１は、本発明の一実施形態によるディスクプレーヤを示した斜視図である。図２〜図４は、図１に示したディスクプレーヤの構造を部分的に示した図である。図５〜図９は、図１に示した本発明の一実施形態によるディスクプレーヤにおけるアクリルレンズの構造を示した図である。図１〜図９を参照して、本発明の一実施形態によるディスクプレーヤ１の構造について説明する。
【００２２】
本発明の一実施形態によるディスクプレーヤ１は、図１および図２に示すように、樹脂製のフロントパネル１０と、電源ボタン２０と、ディスク挿入口３０と、操作ボタン４０と、録画ボタン５０と、樹脂製のレンズホルダ６０と、平板状のアクリルレンズ７０とを備えている。このアクリルレンズ７０は、録画ボタン５０の操作によってディスクプレーヤ１が録画状態にあることをユーザに知らせるために設けられている。なお、ディスクプレーヤ１は、本発明の「電子機器」の一例であり、アクリルレンズ７０は、本発明の「レンズ」の一例である。フロントパネル１０は、図３および図４に示すように、横長のパネル側貫通孔１１と、複数のボス部１２とを含んでいる。また、樹脂製のレンズホルダ６０は、横長の直線状のレンズ用貫通孔６１と、張出部６２と、３つの補強リブ６３とを含んでいる。レンズホルダ６０は、図４に示すように、横長の直線状のパネル側貫通孔１１に嵌め込まれるとともに、樹脂製のフロントパネル１０に一体的に形成された複数のボス部１２によってフロントパネル１０に固定されている。張出部６２は、アクリルレンズ７０を固定および支持するために設けられているとともに、遮光材としての機能も有する。
【００２３】
ここで、本実施形態では、ディスクプレーヤ１は、図４に示すように、内部に基板８０を備えている。この基板８０には、１つの青色発光ダイオード８１がダイオードホルダ８２によって取り付けられている。なお、青色発光ダイオード８１は、本発明の「発光ダイオード」および「光源」の一例である。この１つの青色発光ダイオード８１は、図３および図４に示すように、アクリルレンズ７０の下方の所定の位置に上向きに配置されている。また、１つの青色発光ダイオード８１の周囲には、図３および図４に示すように、ポリエステル製の遮光シート９０が設けられている。この遮光シート９０は、青色発光ダイオード８１の光がアクリルレンズ７０以外の部分からフロントパネル１０の前面に漏れ出すのを防ぐために設けられている。
【００２４】
また、本実施形態では、平板状のアクリルレンズ７０は、図５〜図８に示すように、底面部７１と、上面部７２と、横長形状の直線状の前面部７３と、一対の側面部７４と、背面部７５とを含んでいる。底面部７１は、青色発光ダイオード８１からの光が入射する面である。上面部７２の表面には、図５に示すように、光を反射させるために白色の印刷が施されている。横長形状の前面部７３は、図４に示すように、レンズホルダ６０の横長のレンズ用貫通孔６１からフロントパネル１０の前面に露出するように配置されている。この横長形状の直線状の前面部７３は、アクリルレンズ７０の内部に進入した光が出射する面である。また、前面部７３には、図９に示すように、シボ加工などの多数の微細な凹凸が形成されている。この微細な凹凸は、前面部７３より光が出射する際に、その出射光を散乱させるために設けられている。
【００２５】
また、本実施形態では、一対の側面部７４は、図５に示すように、前面部７３に対して平面的に所定の角度Ａ（本実施形態では、約３０度）で傾斜するとともに、図８に示すように、底面部７１に対して所定の角度Ｂ（本実施形態では、約４５度）で傾斜するように構成されている。また、一対の側面部７４の表面には、図９に示すように、シボ加工などの多数の微細な凹凸が形成されている。背面部７５は、一対の側面部７４の端部を連結するように設けられるとともに、底面部７１に対して直交するように構成されている。また、背面部７５の表面にも、図９に示すように、シボ加工などの多数の微細な凹凸が形成されている。一対の側面部７４および背面部７５の表面の微細な凹凸は、一対の側面部７４および背面部７５で光が反射する際に、光を乱反射させて散乱させるために設けられてい
る。また、一対の側面部７４は、図５に示すように、背面部７５に向かうに従って、底面部７１に対する傾斜角度（本実施形態では、約４５度）が徐々に直角に近づくように形成されている。また、図３および図４に示すように、平板状のアクリルレンズ７０の上面部と樹脂製のレンズホルダ６０の張出部６２の下面とは、両面テープ（図示せず）によって固定されている。
【００２６】
図１０は、図５に示したアクリルレンズの側面部における入射光の反射の軌跡を示した斜視図である。次に、図１０を参照して、本発明の一実施形態によるディスクプレーヤ１のアクリルレンズ７０の一対の側面部７４における入射光の反射の軌跡について説明する。まず、青色発光ダイオード８１によって、アクリルレンズ７０の底面部７１から、光がアクリルレンズ７０に入射される。入射された光は、図１０に示すように、放射状に広がり、アクリルレンズ７０の一対の側面部７４の全面に到達する。この場合、一対の側面部７４は、前面部７３に対して平面的に約３０度で傾斜する（図５参照）とともに、底面部７１に対して約４５度で傾斜する（図８参照）ように形成されている。このため、底面部７１から入射した光は、一対の側面部７４によって、アクリルレンズ７０の横長形状の前面部７３の方向に反射される。
【００２７】
本実施形態では、上記のように、互いに対向する一対の側面部７４を前面部７３に対して平面的に約３０度で傾斜するとともに、底面部７１に対して約４５度で傾斜するように形成し、アクリルレンズ７０の底面部７１の下方の所定の位置に上向きに１つの青色発光ダイオード８１を配置することによって、底面部７１から入射した光を一対の側面部７４において前面部７３の方向に反射させることができるので、底面部７１から入射した光を横長形状の直線状の前面部７３から効率良く出射させることができる。これによって、光を底面部７１から入射させれば、横長形状の前面部７３を効率良く発光させることができるので、１つの青色発光ダイオード８１によって横長形状の前面部７３の全体を効率良く発光させることができる。
【００２８】
また、本実施形態では、平板状のアクリルレンズ７０の上面部７２の表面に光を反射させるための白色の印刷を施すことによって、上面部７２の表面に白色の印刷を施さない場合に比べて、底面部７１から入射した光を上面部７２において前面部７３の方向に効率良く反射させることができるので、底面部７１から入射した光を横長形状の前面部７３の全体からより効率良く出射させることができる。
【００２９】
また、本実施形態では、背面部７５を一対の側面部７４の端部を連結するように底面部７１に対して直交して形成するとともに、一対の側面部７４を背面部７５に向かうに従って底面部７１に対する傾斜角度が徐々に直角に近づくように形成することによって、底面部７１から入射した光が背面部７５において前面部７３の方向に反射するのを抑制することができる。これによって、アクリルレンズ７０の内部で反射した光がアクリルレンズ７０の横長形状の前面部７３の中央近傍に集まり過ぎて、青色発光ダイオード８１の形状が前面部７３の中央近傍に映るのを防ぐことができるので、アクリルレンズ７０の横長形状の前面部７３から出射する光が一部分に偏るのを防止することができる。
【００３０】
また、本実施形態では、アクリルレンズ７０の一対の側面部７４および背面部７５の表面にシボ加工などの多数の微細な凹凸を形成することによって、底面部７１から入射した光を一対の側面部７４および背面部７５で反射する際に、拡散させることができるので、アクリルレンズ７０の横長形状の前面部７３から出射する光を均一にすることができる。また、アクリルレンズ７０の前面部７３の前面にシボ加工などの多数の微細な凹凸を形成することによって、前面部７３より光が出射する際に、光を散乱させることができるので、前面部７３を均一に発光させることができる。
【００３１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内のすべての変更が含まれる。
【００３２】
たとえば、上記実施形態では、アクリルレンズの上面部に白色の印刷を施した例を示したが、本発明はこれに限らず、少なくとも光を反射する効果を有していれば、白色以外の印刷を施してもよい。
【００３３】
また、上記実施形態では、一対の側面部を背面部に向かうに従って、底面部に対する傾斜角度が徐々に直角に近づくように形成した例を示したが、本発明はこれに限らず、一対の側面部を底面部に対する傾斜角度が一定の状態で背面部と連結するように形成してもよい。
【００３４】
また、上記実施形態では、一対の側面部および背面部の両方の表面にシボ加工などの微細な凹凸を形成した例を示したが、本発明はこれに限らず、一対の側面部および背面部のどちらか一方の表面にシボ加工などの微細な凹凸を形成してもよい。また、上記実施形態では、微細な凹凸をシボ加工によって形成する例を示したが、本発明はこれに限らず、シボ加工以外のエンボス加工などによって微細な凹凸を形成してもよい。
【００３５】
また、上記実施形態では、光源の一例として発光ダイオードを用いた例を示したが、本発明はこれに限らず、発光ダイオード以外の光源となり得る発光手段を用いてもよい。
【００３６】
また、上記実施形態では、本発明を電子機器の一例としてのディスクプレーヤについて適用した例を示したが、本発明はこれに限らず、ディスクプレーヤ以外のテレビやビデオなどの電子機器にも適用可能である。
【図面の簡単な説明】
【００３７】
【図１】本発明の一実施形態によるディスクプレーヤを示した斜視図である。
【図２】図１に示したディスクプレーヤを部分的に示した正面図である。
【図３】図２に示したディスクプレーヤの裏面を部分的に示した図である。
【図４】図３中の２００−２００線に沿った断面図である。
【図５】図１に示した本発明の一実施形態によるディスクプレーヤにおけるアクリルレンズを示した上面図である。
【図６】図５に示したアクリルレンズの前面図である。
【図７】図５に示したアクリルレンズの側面図である。
【図８】図５中の３００−３００線に沿った断面図である。
【図９】図５に示したアクリルレンズの表面に形成された微細な凹凸を部分的に示した拡大図である。
【図１０】図５に示したアクリルレンズの側面部における入射光の反射の軌跡を示した斜視図である。
【図１１】従来のディスクプレーヤを部分的に示した図である。
【図１２】図１１に示した従来のディスクプレーヤにおけるアクリルレンズを示した上面図である。
【図１３】図１２に示したアクリルレンズの前面図である。
【符号の説明】
【００３８】
１  ディスクプレーヤ（電子機器）
１０  フロントパネル
１１  パネル側貫通孔
６０  レンズホルダ
６１  レンズ用貫通孔
７０  アクリルレンズ（レンズ）
７１  底面部
７２  上面部
７３  前面部
７４  側面部
７５  背面部
８０  基板
８１  青色発光ダイオード（発光ダイオード、光源）
【図１】
2005158181.tif 000003
【図２】
2005158181.tif 000004
【図３】
2005158181.tif 000005
【図４】
2005158181.tif 000006
【図５】
2005158181.tif 000007
【図６】
2005158181.tif 000008
【図７】
2005158181.tif 000009
【図８】
2005158181.tif 000010
【図９】
2005158181.tif 000011
【図１０】
2005158181.tif 000012
【図１１】
2005158181.tif 000013
【図１２】
2005158181.tif 000014
【図１３】
2005158181.tif 000015